(57)【要約】      （修正有）【課題】作業員が一人でも線状対象物を安全に切断できる保持具及び切断工具を提供する。【解決手段】一対の切断刃１１１、１１１間に挿入された線状対象物Ｘを切断刃を閉じることにより切断する工具の工具本体に、各切断刃１１１により切断される線状対象物Ｘの切断部位の両側を保持する一対の保持手段２２、２２を有する保持具２を設ける。この各保持手段２２は、線材Ｘを挟圧する一対の挟圧体２２１、２２２と各挟圧体の相互間の位置を調整する位置調整手段２２３からなる。【選択図】図３
2010194114.tif 000002
【特許請求の範囲】
【請求項１】
一対の切断刃を備え、開かれた切断刃間に挿入された線状対象物を、切断刃を閉じることにより切断する工具に、装着される保持具であって、
切断刃が切断する線状対象物の部位における両側の部位を保持する一対の保持手段を備えることを特徴とする保持具。
【請求項２】
各保持手段は、線状対象物を挟圧する一対の挟圧部を備え、一対の挟圧部のうち少なくとも何れか一方は、線状対象物を収容すべく凹状に形成されると共に、収容する線状対象物を案内して位置決めすべくテーパ状に形成される請求項１に記載の保持具。
【請求項３】
各保持手段は、線状対象物を挟圧する挟圧部を有する一対の挟圧体を備え、一対の挟圧体のうち少なくとも何れか一方は、線状対象物が開かれた切断刃間に挿入される際に、線状対象物と干渉するのを防止すべく、切断刃間よりも外方である待機位置と、切断刃間に挿入された線状対象物が切断刃間から抜け出すのを防止すべく、切断刃間に挿入された線状対象物を係止可能な係止位置とに切り替え可能に構成される請求項１又は２に記載の保持具。
【請求項４】
各保持手段は、線状対象物を挟圧する一対の挟圧部を備え、一対の挟圧部は、一対の切断刃が閉じるように互いに接近するのに伴い、互いに接近するように構成される請求項１に記載の保持具。
【請求項５】
各保持手段は、線状対象物を挟圧する挟圧部を有する一対の挟圧体を備え、一対の挟圧体は、切断刃を有する一対の刃部材が切断刃を閉じるように変位する際に、刃部材に当接されることにより、一対の挟圧部を接近させるように変位する請求項４に記載の保持具。
【請求項６】
一対の挟圧体は、一対の挟圧部が離反する方向に変位するのを規制される状態と、当該規制を解除される状態とに切り替え可能に構成される請求項５に記載の保持具。
【請求項７】
一対の切断刃を備え、開かれた切断刃間に挿入された線状対象物を、切断刃を閉じることにより切断する切断工具において、
切断刃が切断する線状対象物の部位における両側の部位を保持する一対の保持手段を備えることを特徴とする切断工具。
【発明の詳細な説明】
【技術分野】
【０００１】
本発明は、一対の切断刃を備える工具が線状対象物を切断する際に、線状対象物を保持するための保持具に関する。また、本発明は、一対の切断刃を備える切断工具に関する。
【背景技術】
【０００２】
従来、一対の切断刃を有する工具（従来における「切断工具」であって、本発明に係る「切断工具」と区別すべく、本願においては単に「工具」という）として、線材、電線、棒鋼、硬銅線、より線といった線状対象物を切断するボルトクリッパが知られている（例えば、特許文献１）。
【０００３】
かかるボトルクリッパにおいては、把持部を両手で開くことにより、切断刃が開き、把持部を両手で閉じることにより、切断刃が閉じる。したがって、把持部を開閉することにより、切断刃が開閉するため、開いた切断刃間に線状対象物を挿入し、その後、切断刃を閉じることにより、線状対象物を切断することができる。
【先行技術文献】
【特許文献】
【０００４】
【特許文献１】特開平５−３８６１５号公報
【発明の概要】
【発明が解決しようとする課題】
【０００５】
しかしながら、例えば、架設される線状対象物には、張力が働いているため、作業員がボトルクリッパにて一人で当該線状対象物を切断する場合、線状対象物が切断直後に跳ね返るという危険を有する。したがって、当該危険を回避するため、線状対象物を切断する際には、一人の作業員がボトルグリッパを操作して線状対象物を切断し、もう一人の別の作業員が線状対象物を保持するという、煩雑な作業を行っていた。
【０００６】
よって、本発明は、かかる事情に鑑み、作業員が一人でも線状対象物を安全に切断できる保持具及び切断工具を提供することを課題とする。
【課題を解決するための手段】
【０００７】
本発明に係る保持具は、一対の切断刃を備え、開かれた切断刃間に挿入された線状対象物を、切断刃を閉じることにより切断する工具に、装着される保持具であって、切断刃が切断する線状対象物の部位における両側の部位を保持する一対の保持手段を備えることを特徴とする。
【０００８】
本発明に係る保持具によれば、線状対象物を切断する工具に装着され、一対の切断刃が切断する線状対象物の部位における両側の部位を、一対の保持手段が保持する。これにより、一対の保持手段が線状対象物を保持した状態にて、工具が、切断刃を閉じることにより、開かれた切断刃間に挿入された線状対象物を切断できる。
【０００９】
また、本発明に係る保持具においては、各保持手段は、線状対象物を挟圧する一対の挟圧部を備え、一対の挟圧部のうち少なくとも何れか一方は、線状対象物を収容すべく凹状に形成されると共に、収容する線状対象物を案内して位置決めすべくテーパ状に形成されてもよい。
【００１０】
かかる保持具によれば、一対の挟圧部が線状対象物を挟圧するため、各保持手段が線状対象物を保持できる。そして、一対の挟圧部のうち少なくとも何れか一方は、凹状に形成されるため、線状対象物を収容できると共に、テーパ状に形成されるため、収容する線状対象物を案内して位置決めすることができる。したがって、線状対象物の軸心を一対の切断刃間の中心に一致させるのを容易にできる。
【００１１】
また、本発明に係る保持具においては、各保持手段は、線状対象物を挟圧する挟圧部を有する挟圧体を一対備え、一対の挟圧体のうち少なくとも何れか一方は、線状対象物が開かれた切断刃間に挿入される際に、線状対象物と干渉するのを防止すべく、切断刃間よりも外方である待機位置と、切断刃間に挿入された線状対象物が切断刃間から抜け出すのを防止すべく、切断刃間に挿入された線状対象物を係止可能な係止位置とに切り替え可能に構成されてもよい。
【００１２】
かかる保持具によれば、挟圧部を有する一対の挟圧体のうち少なくとも何れか一方は、開かれた切断刃間よりも外方である待機位置と、切断刃間に挿入された線状対象物を係止可能な係止位置とに切り替えることができる。これにより、当該挟圧部は、線状対象物が開かれた切断刃間に挿入される際に、線状対象物と干渉するのを防止することができると共に、切断刃間に挿入された線状対象物が切断刃間から抜け出すのを防止することができる。したがって、線状対象物を切断する作業の効率を向上させることができる。
【００１３】
また、本発明に係る保持具においては、各保持手段は、線状対象物を挟圧する一対の挟圧部を備え、一対の挟圧部は、一対の切断刃が閉じるように互いに接近するのに伴い、互いに接近するように構成されてもよい。
【００１４】
かかる保持具によれば、一対の切断刃が閉じるように互いに接近するのに伴い、各保持手段における一対の挟圧部が互いに接近する。これにより、一対の挟圧部が線状対象物を挟圧できるため、切断刃が閉じる動作に連動して、線状対象物を挟圧することができる。
【００１５】
また、本発明に係る保持具においては、各保持手段は、線状対象物を挟圧する挟圧部を有する一対の挟圧体を備え、一対の挟圧体は、切断刃を有する一対の刃部材が切断刃を閉じるように変位する際に、刃部材に当接されることにより、一対の挟圧部を接近させるように変位してもよい。
【００１６】
かかる保持具によれば、切断刃を有する一対の刃部材が切断刃を閉じるように変位する際に、各保持手段における一対の挟圧体が刃部材に当接される。これにより、一対の挟圧体が一対の挟圧部を接近させるように変位するため、一対の挟圧体が挟圧部にて線状対象物を挟圧することができる。したがって、切断刃を閉じる際の刃部材の動作に連動して、線状対象物を挟圧することができる。
【００１７】
また、本発明に係る保持具においては、一対の挟圧体は、一対の挟圧部が離反する方向に変位するのを規制される状態と、当該規制を解除される状態とに切り替え可能に構成されてもよい。
【００１８】
かかる保持具によれば、一対の挟圧体は、一対の挟圧部が離反する方向に変位するのを規制される状態と、当該規制を解除される状態とに切り替え可能に構成される。これにより、線状対象物を切断する際に、一対の挟圧部が離反する方向に変位するのを規制することで、切断刃の開閉に関わらず、一対の挟圧部にて線状対象物を挟圧し続けることができ、また、線状対象物を切断した後に、当該規制を解除するで、一対の挟圧部による線状対象物の挟圧を解除して、線状対象物を取り外すことができる。
【００１９】
また、本発明に係る切断工具は、一対の切断刃を備え、開かれた切断刃間に挿入された線状対象物を、切断刃を閉じることにより切断する切断工具において、切断刃が切断する線状対象物の部位における両側の部位を保持する一対の保持手段を備えることを特徴とする。
【００２０】
本発明に係る切断工具によれば、一対の切断刃が切断する線状対象物の部位における両側の部位を、一対の保持手段が保持する。これにより、一対の保持手段が線状対象物を保持した状態にて、開かれた切断刃間に挿入された線状対象物を、切断刃を閉じることにより切断できる。
【発明の効果】
【００２１】
以上の如く、本発明に係る保持具及び切断工具によれば、一対の保持手段が線状対象物を保持した状態にて、一対の切断刃が線状対象物を切断できるため、作業員が一人でも線状対象物を安全に切断できるという優れた効果を奏する。
【図面の簡単な説明】
【００２２】
【図１】本発明の一実施形態に係る切断工具の工具本体の全体図であって、（ａ）は正面図、（ｂ）は平面図、（ｃ）は側面図を示す。
【図２】同実施形態に係る切断工具の保持具の全体図であって、底面側からの斜視図を示す。
【図３】同実施形態に係る切断工具の保持具の全体図であって、正面図を示す。
【図４】同実施形態に係る切断工具の保持具の全体図であって、平面図を示す。
【図５】同実施形態に係る切断工具の保持具の全体図であって、側面図を示す。
【図６】同実施形態に係る切断工具の切断方法を説明する要部概要図であって、（ａ）及び（ｂ）はそれぞれ正面図を示す。
【図７】同実施形態に係る切断工具の切断方法を説明する要部概要図であって、（ａ）及び（ｂ）はそれぞれ正面図を示す。
【図８】本発明の他の実施形態に係る切断工具の保持具の全体図であって、（ａ）は切断刃が開いている状態の平面図、（ｂ）は切断刃が閉じている状態の平面図を示す。
【図９】同実施形態に係る切断工具の保持具の全体図であって、（ａ）は切断刃が閉じている状態の平面図、（ｂ）は切断刃が閉じている状態の側面図を示す。
【図１０】同実施形態に係る切断工具の切断方法を説明する要部概要図であって、（ａ）及び（ｂ）はそれぞれ正面図を示す。
【図１１】同実施形態に係る切断工具の切断方法を説明する要部概要図であって、（ａ）及び（ｂ）はそれぞれ正面図を示す。
【図１２】同実施形態に係る切断工具の切断方法を説明する要部概要図であって、（ａ）及び（ｂ）はそれぞれ正面図を示す。
【図１３】本発明のさらに他の実施形態に係る切断工具の要部概要図であって、（ａ）は一方の挟圧体が待機位置に位置している状態の正面図、（ｂ）は一方の挟圧体が係止位置に位置している状態の正面図を示す。
【発明を実施するための形態】
【００２３】
以下、本発明に係る保持具及び切断工具における第１の実施形態について、図１〜図７を参酌して説明する。
【００２４】
本実施形態に係る切断工具は、図１〜図５に示すように、一対の切断刃１１１，１１１を有する工具本体（本発明に係る保持具に装着される「工具」でもあって、本発明に係る「切断工具」の構成部品である場合には、「工具本体」という）１と、工具本体１に着脱可能に構成され、工具本体１が線状対象物（以下、単に「線材」という）Ｘを切断する際に、線材Ｘを保持する保持具２とを備える。
【００２５】
工具本体１は、図１に示すように、先端部で且つ内方に切断刃１１１が設けられる板状の刃部材１１，１１を一対備える。そして、工具本体１は、切断刃１１１，１１１を操作すべく、基端部が刃部材１１の基端部に枢着され、且つ、先端部に、作業者が把持するための把持部１２１，１２１を有する把持部材１２，１２を一対備える（なお、図１（ｃ）においては、把持部材１２，１２を省略して図示している）。
【００２６】
また、工具本体１は、各刃部材１１の中間部を枢着し、当該部位（支軸部１３１）の軸心を中心として各刃部材１１（各切断刃１１１）を回動させる支軸体１３を備える。これにより、工具本体１は、把持部１２１，１２１が開かれることにより、切断刃１１１，１１１が開くと共に、把持部１２１，１２１が閉じられることにより、切断刃１１１，１１１が閉じる。したがって、工具本体１は、切断刃１１１，１１１を閉じることにより、開かれた切断刃１１１，１１１間に挿入された線材Ｘを切断できる。
【００２７】
保持具２は、図２〜図５に示すように、工具本体１に取り付けられる保持具本体２１と、工具本体１が線材Ｘを切断する際に線材Ｘを保持すべく、一対の切断刃１１１，１１１が切断する線材Ｘの部位の両側の部位を保持する一対の保持手段２２，２２とを備える。そして、保持具２は、線材Ｘが平板状の刃部材１１，１１（切断刃１１１，１１１）と直交し、且つ、線材Ｘが各切断刃１１１の基端側に位置するように、線材Ｘを保持する。
【００２８】
保持具本体２１は、工具本体１の支軸体１３を収容可能な収容部２１１と、工具本体１に固定するための固定手段２１２とを備える。
【００２９】
収容部２１１は、箱状（中空状）で且つ直方体状に形成される。そして、収容部２１１は、各刃部材１１と干渉するのを防止すべく、各刃部材１１を外方に突出するための開口部２１１ａと、各把持部材１２と干渉するのを防止すべく、各把持部材１２を外方に突出するための開口部２１１ｂと、支軸体１３を内方に挿入するための開口部２１１ｃとを備える。
【００３０】
固定手段２１２は、収容部２１１に設けられる螺子穴と螺合する螺子部材２１２ａを備える。そして、固定手段２１２は、螺子部材２１２ａが収容部２１１から内方に突出する量を調整することにより、螺子部材２１２ａと収容部内壁２１２ｂとが支軸体１３を挟持するように構成される。
【００３１】
一対の保持手段２２，２２は、保持具本体２１を挟むように幅方向の両側に配置される。そして、各保持手段２２は、線材Ｘを挟圧する一対の挟圧体２２１，２２２と、各挟圧体２２１，２２２の相互間の位置を調整する位置調整手段２２３とを備える。
【００３２】
一方の挟圧体（以下、「第１挟圧体」ともいう）２２１は、他方の挟圧体（以下、「第２挟圧体」もという）２２２とにより、線材Ｘを挟圧する挟圧部（以下、「第１挟圧部」ともいう）２２１ａを備える。また、第１挟圧体２２１は、保持具本体２１に対して、相対変位可能に構成される。
【００３３】
第１挟圧部２２１ａは、線材Ｘを収容すべく凹状に形成されると共に、収容する線材Ｘを案内して位置決めすべく線対称のテーパ状に形成される。具体的には、第１挟圧部２２１ａは、外方に向けて拡がる溝状に形成される。
【００３４】
第２挟圧体２２２は、第１挟圧部２２１ａとにより、線材Ｘを挟圧する挟圧部（以下、「第２挟圧部」ともいう）２２２ａを備える。また、第２挟圧体２２２は、保持具本体２１に固定される。
【００３５】
第２挟圧部２２２ａは、凹状の第１挟圧部２２１ａの内幅寸法よりも、幅寸法が小さい凸状に形成される。そして、第２挟圧部２２２ａは、先端部が切断刃１１１，１１１間であって、切断刃１１１の基端側に位置するように配置される。
【００３６】
位置調整手段２２３は、一端部が第１挟圧体２２１に固定され且つ他端部が第２挟圧体２２２に設けられる挿通孔２２２ｂに挿通される支柱部材２２３ａと、内周に設けられる（雌）螺子が支柱部材２２３ａの外周に設けられる（雄）螺子と螺合し且つ作業員に操作される操作部材２２３ｂとを備える。
【００３７】
支柱部材２２３ａは、第２挟圧体２２２の挿通孔２２２ｂが一端部に向けて拡がるように形成されるため、挿通孔２２２ｂに挿通した状態にて、第２挟圧体２２２に対して相対変位できる。具体的には、支柱部材２２３ａは、他端部側を中心に回動するように移動できる。
【００３８】
これにより、第１挟圧体２２１は、開かれた切断刃１１１，１１１間に線材Ｘが挿入される際に、線材Ｘと干渉するのを防止すべく、切断刃１１１，１１１間よりも外方である待機位置と、切断刃１１１，１１１間に挿入された線材Ｘが切断刃１１１，１１１間から抜け出すのを防止すべく、一部位が切断刃１１１，１１１間に配置され、切断刃１１１，１１１間に挿入された線材Ｘを係止可能な係止位置とに切り替え可能に構成される。
【００３９】
具体的には、第１挟圧体２２１は、線材Ｘの軸心方向、即ち、板状の刃部材１１（切断刃１１１）と直交する方向において、切断刃１１１，１１１間から外れた位置である待機位置と、前記同方向において、一部位が切断刃１１１，１１１間に配置される位置で且つ当該一部位及び両切断刃１１１，１１１により線材Ｘを囲い得る位置である係止位置とに移動できる。
【００４０】
操作部材２２３ｂは、第２挟圧体２２２の挿通孔２２２ｂよりも大きく形成されるため、第２挟圧体２２２を係止できる。そして、操作部材２２３ｂは、支柱部材２２３ａと螺合することにより、両挟圧体２２１，２２２間、即ち、両挟圧部２２１ａ，２２２ａ間の距離を調整できる。
【００４１】
本実施形態に係る切断工具の構成については以上の通りであり、次に、本実施形態に係る切断工具にて線材Ｘを切断する方法について説明する。
【００４２】
まず、図６（ａ）に示すように、開かれた切断刃１１１，１１１間に、線材Ｘを挿入する。このとき、第１挟圧体２２１が重力により切断刃１１１，１１１間よりも外方（下方）である待機位置に位置しているため、切断刃１１１，１１１間の中心に沿って（図６（ａ）のＡ矢印方向に）、線材Ｘを挿入しても、第１挟圧体２２１が線材Ｘと干渉しない。
【００４３】
そして、第１挟圧体２２１を平板状の刃部材１１に沿って（図６（ａ）のＢ矢印方向に）回動させる。すると、図６（ｂ）に示すように、第１挟圧体２２１が各切断刃１１１の基端側に位置する線材Ｘを係止可能な係止位置に位置しているため、線材Ｘが切断刃１１１，１１１間から抜け出すのを防止できる。
【００４４】
その後、操作部材２２３ｂを（図６（ｂ）のＣ矢印方向に）回転させると、第１挟圧体２２１が第２挟圧体２２２に向かって（図６（ｂ）のＤ矢印方向に）移動する。これにより、線材Ｘを介在させた状態で離間する両挟圧体２２１，２２２間、具体的には、両挟圧部２２１ａ，２２２ａ間の距離が徐々に小さくなる。
【００４５】
さらに、操作部材２２３ｂを回転させて締め続けると、凹状で且つテーパ状に形成される第１挟圧部２２１ａが線材Ｘを案内する。そして、最終的には、図７（ａ）に示すように、第１挟圧部２２１ａが線材Ｘを収容すると共に所定位置に位置決めする。このとき、第１挟圧部２２１ａと第２挟圧部２２２ａとが線材Ｘを挟圧することにより保持している。
【００４６】
そして、切断刃１１１，１１１が閉じるように（図７（ａ）のＥ矢印方向に）、各刃部材１１を回動させると、図７（ｂ）に示すように、切断刃１１１，１１１間に挿入された線材Ｘを切断することができる。その後、操作部材２２３ｂを反対方向（図７（ｂ）のＦ方向）に回転させて緩めると、両挟圧部２２１ａ，２２２ａによる線材Ｘの挟圧が解除でき、線材（切断された両方の線材片）Ｘを保持手段２，２からそれぞれ取り外すことができる。
【００４７】
以上より、本実施形態に係る切断工具は、一対の切断刃１１１，１１１が切断する線材Ｘの部位における両側の部位を、一対の保持手段２，２が保持する。これにより、一対の保持手段２，２が線材Ｘを保持した状態にて、開かれた切断刃１１１，１１１間に挿入された線材Ｘを、切断刃１１１，１１１を閉じることにより切断できるため、線材Ｘを切断する際に、把持部１２１，１２１を両手で把持しつつも、一人で線材Ｘを安全に切断できる。
【００４８】
また、本実施形態に係る切断工具は、一対の挟圧部２２１ａ，２２２ａが線材Ｘを挟圧するため、各保持手段２が線材Ｘを保持できる。そして、第１挟圧部２２１ａは、凹状に形成されるため、線材Ｘを収容できると共に、テーパ状に形成されるため、収容する線材Ｘを案内して位置決めすることができる。したがって、線材Ｘの軸心を両切断刃１１１，１１１の中心に一致させるのを容易にできる。
【００４９】
また、本実施形態に係る切断工具は、第１挟圧体２２１が、開かれた切断刃１１１，１１１間よりも外方である待機位置と、切断刃１１１，１１１間に挿入された線材Ｘを係止可能な係止位置とに切り替えることができる。
【００５０】
これにより、第１挟圧体２２１は、開かれた切断刃１１１，１１１間に線材Ｘが挿入される際に、線材Ｘと干渉するのを防止することができると共に、切断刃１１１，１１１間に挿入された線材Ｘが切断刃１１１，１１１間から抜け出すのを防止することができる。したがって、線材Ｘを切断する作業、即ち、保持手段２、２にて線材Ｘを保持する作業の効率を向上させることができる。
【００５１】
次に、本発明に係る切断工具における第２の実施形態について、図８〜図１２を参酌して説明する。なお、図８〜図１２において、図１〜図７の符号と同一の符号を付した部分は、第１実施形態と同一の構成又は要素を表す。
【００５２】
本実施形態に係る切断工具は、図８及び図９に示すように、一対の切断刃１１１，１１１を有する工具本体１と、工具本体１に着脱可能に構成され、工具本体１が線材（図８及び図９において図示していない）Ｘを切断する際に、線材Ｘを保持する保持具２’とを備える。
【００５３】
保持具２’は、工具本体１に装着される保持具本体２１と、工具本体１が線材Ｘを切断する際に線材Ｘを保持すべく、一対の切断刃１１１，１１１が切断する線材Ｘの部位における両側の部位を保持する一対の保持手段２２’，２２’とを備える。そして、各保持手段２２’は、線材Ｘを挟圧する挟圧部２２１ａ’を有する一対の挟圧体２２１’，２２１’を備える。
【００５４】
各挟圧体２２１’は、工具本体１の支軸部１３１の軸心を中心として回動すべく、保持具本体２１に枢着される軸心部２２１ｂを備える。また、各挟圧体２２１’は、刃部材１１（切断刃１１１）が回動するのに伴い回動すべく、刃部材１１の外側に当接されて付勢される当接部２２１ｃを備える。
【００５５】
挟圧部２２１ａ’は、弾性を有する。そして、挟圧部２２１ａ’は、挟圧する線材Ｘとの間に比較的大きな摩擦力を発生するように形成される。例えば、挟圧部２２１ａ’は、ゴムにより形成される。また、挟圧部２２１ａ’は、線材Ｘを挟圧する面が切断刃１１１に沿うように、又は、切断刃１１１から内方に突出するように（開かれた切断刃１１１，１１１間に一部位が配置されるように）設けられる。
【００５６】
軸心部２２１ｂは、一対の切断刃１１１，１１１が閉じるように互いに接近するのに伴い、一対の挟圧部２２１ａ’、２２１ａ’が互いに接近すべく、各挟圧体２２１’，２２１’を回動させる。また、軸心部２２１ｂは、一対の挟圧部２２１ａ’，２２１ａ’が離反する方向に、一対の挟圧体２２１’，２２１’が変位するのを規制する状態と、一対の挟圧体２２１’，２２１’が当該方向に変位できる状態（当該規制を解除する状態）とに切り替え可能に構成される。
【００５７】
具体的には、軸心部２２１ｂは、挟圧体２２１’が一方向（一対の挟圧部２２１ａ’，２２１ａ’が互いに接近する方向）のみに回動すべく、他方向（一対の挟圧部２２１ａ’，２２１ａ’が互いに離反する方向）に回動するのを規制する規制手段（図示及び採番しない）と、当該規制を解除する解除手段（図示及び採番しない）とを備える。
【００５８】
例えば、軸心部２２１ｂは、爪部（図示及び採番しなし）と、挟圧体２２１’に連結されるラック部（図示及び採番しない）とを備え、爪部は、ラック部を掛止可能な状態（位置）と、掛止できない状態（位置）とに切り替え可能に構成される。
【００５９】
当接部２２１ｃは、挟圧体２２１’の基体（採番しない）から刃部材１１（他方の保持手段２）に向けて突設される。具体的には、当接部２２１ｃは、各保持手段２’の同方向に配置される挟圧体２２１’，２２１’同士を連結する。そして、当接部２２１ｃは、各刃部材１１が切断刃１１１を閉じるように変位する際に、刃部材１１に当接されることにより、一対の挟圧部２２１ａ’，２２１ａ’が接近するように一対の挟圧体２２１’，２２１’を回動させる。
【００６０】
なお、当接部２２１ｃは、挟圧体２２１’の基体に着脱可能に構成される。そして、当接部２２１ｃは、工具本体１が収容部２２１に収容される際には、工具本体１に干渉するのを防止すべく、挟圧体２２１’の基体から取り外されており、工具本体１が収容部２２１に一旦収容された後には、挟圧体２２１’の基体に取り付けられる。
【００６１】
本実施形態に係る切断工具の構成については以上の通りであり、次に、本実施形態に係る切断工具にて線材Ｘを切断する方法について説明する。
【００６２】
まず、図１０（ａ）に示すように、開かれた切断刃１１１，１１１間に、線材Ｘを挿入する。そして、切断刃１１１，１１１が閉じるように（図１０（ａ）のＧ矢印方向に）、各刃部材１１を回動させると、各刃部材１１の外方が当接部２２１ｃに当接しているため、各挟圧体２２１’が刃部材１１と同じ軸心を中心に（図１０（ａ）のＨ矢印方向に）回動する。
【００６３】
したがって、図１０（ｂ）に示すように、各挟圧体２２１’が刃部材１１と一体的になって回動することにより、一対の挟圧部２２１ａ’，２２１ａ’は、互いに接近するため、圧縮して線材Ｘを挟圧する。
【００６４】
ここで、力を入れ直すべく、切断刃１１１、１１１を開くように（図１０（ｂ）のＩ矢印方向に）、各刃部材１１を回動させても、図１１（ａ）に示すように、各挟圧体２２１’は、軸心部２２１ｂ（の規制手段）により回動するのを規制される。これにより、各切断刃１１１が線材Ｘから離反するに対して、一対の挟圧部２２１ａ’，２２１ａ’が線材Ｘを挟圧し続けているため、線材Ｘが移動するのを防止できる。
【００６５】
そして、再度、切断刃１１１，１１１を閉じるように（図１１（ａ）のＪ矢印方向に）各刃部材１１を回動させると、各刃部材１１が当接部２２１ｃから離反している際には、各刃部材１１のみが回動し、その後、各刃部材１１が当接部２２１ｃに当接すると、各挟圧体２２１’が刃部材１１と同じ軸心を中心に（図１１（ａ）のＫ矢印方向に）、一体的となって回動する。これにより、図１１（ｂ）に示すように、切断刃１１，１１が閉じて、切断刃１１，１１間に挿入された線材Ｘを切断することができる。
【００６６】
その後、切断刃１１，１１を開くように（図１１（ｂ）のＬ矢印方向に）、各刃部材１１を回動させる。このとき、各挟圧体２２１’が軸心部２２１ｂ（の規制手段）により回動するのを規制されているため、図１２（ａ）に示すように、一対の挟圧部２２１ａ’，２２１ａ’が線材Ｘを挟圧し続けている。
【００６７】
そして、軸心部２２１ｂ（の解除手段）により、当該規制を解除すると、一対の挟圧部２２１ａ’，２２１ａ’が離反するように（図１２（ａ）のＭ矢印方向に）、各挟圧体２２１’が回動する。これにより、図１２（ｂ）に示すように、両挟圧部２２１ａ’，２２１ａ’による線材Ｘの挟圧が解除でき、線材Ｘを保持手段２’から取り外すことができる。
【００６８】
以上より、本実施形態に係る切断工具は、一対の切断刃１１１，１１１が切断する線材Ｘの部位における両側の部位を、一対の保持手段２’，２’が保持する。これにより、一対の保持手段２’，２’が線材Ｘを保持した状態にて、開かれた切断刃１１１，１１１間に挿入された線材Ｘを、切断刃１１１，１１１を閉じることにより切断できるため、切断する際に両手を使用していても、一人で線材Ｘを安全に切断できる。
【００６９】
また、本実施形態に係る切断工具は、一対の刃部材１１，１１が切断刃１１１，１１１を閉じるように回動する際に、各挟圧体２２１’が刃部材１１に当接される。これにより、各挟圧体２２１’が刃部材１１と一体的に回動するため、一対の切断刃１１１，１１１が閉じるように互いに接近するのに伴い、一対の挟圧部２２１ａ’，２２１ａ’が互いに接近し、その結果、一対の挟圧部２２１ａ’，２２１ａ’にて線材Ｘを挟圧できる。
【００７０】
したがって、各挟圧体２２１’が刃部材１１と連動して回動することにより、一対の挟圧部２２１ａ’，２２１ａ’が線材Ｘを保持することができるため、例えば、一対の切断刃１１，１１にて線材Ｘを切断するに当たって、事前に保持手段２’に線材Ｘを保持させる必要が無く、線材Ｘを切断するのに伴って線材Ｘを保持することもできるため、切断作業の効率をさらに向上させることができる。
【００７１】
また、本実施形態に係る切断工具は、線材Ｘを切断する際に、一対の挟圧部２２１ａ’，２２１ａ’が離反する方向に、各挟圧体２２１’が変位するのを規制することにより、切断刃１１１，１１１の開閉に関わらず、一対の挟圧部２２１ａ’，２２１ａ’にて線材Ｘを挟圧し続けることができる。そして、線材Ｘを切断した後に、当該規制を解除することにより、一対の挟圧部２２１ａ’，２２１ａ’による線材Ｘの挟圧を解除して、保持手段２’から線材Ｘを取り外すことができる。
【００７２】
なお、本発明に係る保持具及び切断工具は、上記した実施の形態に限定されるものではなく、本発明の要旨を逸脱しない範囲内において種々変更を加え得ることは勿論である。また、上記した複数の実施形態の構成や方法等を任意に採用してもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００７３】
例えば、上記実施形態に係る切断工具においては、工具本体１と、工具本体１に着脱可能な保持具２（２’）とを備える場合を説明したが、かかる場合に限られず、工具本体と保持具とが一体である場合、即ち、工具本体と一体になった保持手段を備える場合でもよい。
【００７４】
また、上記実施形態に係る切断工具においては、各刃部材１１が回動することにより、切断刃１１１，１１１を開閉する場合を説明したが、かかる場合に限られず、例えば、各刃部材がスライドすることにより、切断刃を開閉する場合でもよい。
【００７５】
また、上記第１実施形態に係る保持具２及び切断工具においては、一方の挟圧部２２１ａのみが凹状で且つテーパ状に形成される場合を説明したが、かかる場合に限られず、一対の挟圧部が双方共に凹状で且つテーパ状に形成される場合でもよい。
【００７６】
また、上記第１実施形態に係る保持具２及び切断工具においては、第１挟圧体２２１が重力により切断刃１１１，１１１間よりも外方（下方）である待機位置に位置する場合を説明したが、かかる場合に限られず、第１挟圧体は、待機位置に位置すべく、第２挟圧体又は保持具本体に止着される場合でもよい。
【００７７】
例えば、第１挟圧体は、磁力や吸着力等の力により、第２挟圧体や保持具本体に止着される場合でもよい。さらに、例えば、図１３に示すように、第１挟圧体２２１”は、第２挟圧体２２２”に止着されて待機位置に位置すべく、第２挟圧体２２２”に設けられる凹状部２２２ｃに掛止される凸状部２２１ｄを備える場合でもよい。
【００７８】
かかる構成によれば、第１挟圧体２２１”は、図１３（ａ）に示すように、第２挟圧体２２２”に止着されることにより待機位置に位置し、また、図１３（ｂ）に示すように、当該止着を解除することにより係止位置に位置することができる。したがって、切断工具の向きに関係なく、第１挟圧体２２１”を待機位置の状態で維持することができる。
【００７９】
また、上記第２実施形態に係る保持具２’及び切断工具においては、二つの挟圧体２２１’が共通の当接部２２１ｃを備える場合を説明したが、かかる場合に限られず、各挟圧体が個別の当接部をそれぞれ備える場合でもよい。かかる構成によれば、線材（切断された線材片）Ｘをそれぞれ個別に取り外すことができる。
【符号の説明】
【００８０】
１…工具本体（工具）、２…保持具、１１…刃部材、１１１…切断刃、１２…把持部材、１２１…把持部、２１…保持具本体、２２…保持手段、２２１…挟圧体、２２１ａ…挟圧部、２２２…挟圧体、２２２ａ…挟圧部、Ｘ…線状対象物（線材）
【図１】
2010194114.tif 000003
【図２】
2010194114.tif 000004
【図３】
2010194114.tif 000005
【図４】
2010194114.tif 000006
【図５】
2010194114.tif 000007
【図６】
2010194114.tif 000008
【図７】
2010194114.tif 000009
【図８】
2010194114.tif 000010
【図９】
2010194114.tif 000011
【図１０】
2010194114.tif 000012
【図１１】
2010194114.tif 000013
【図１２】
2010194114.tif 000014
【図１３】
2010194114.tif 000015